(57)【要約】  【構成】  高周波テレビジョン信号は、アンテナ１２およびチューナ１４によって受信される。間引き回路２６は、受信された高周波テレビジョン信号に基づいて複数フィールドの映像データを作成する。作成された映像データは、書き込み制御回路２８によって、フィールド単位で間欠的にバッファメモリ３０に書き込まれる。ＬＣＤドライバ３４は、バッファメモリ３０に格納された映像データに基づく映像を、書き込み制御回路２８の書き込み動作の合間でＬＣＤモニタ３６に表示する。  【効果】  表示映像の品質を向上させることができる。【選択図】  図１
2007006303.tif 000002
【特許請求の範囲】
【請求項１】
高周波テレビジョン信号を受信する受信手段、
前記受信手段によって受信された高周波テレビジョン信号に基づいて複数画面の映像データを作成する作成手段、
前記作成手段によって作成された映像データを画面単位で間欠的にメモリに書き込む書き込み手段、および
前記メモリに格納された映像データに基づく映像を前記書き込み手段の書き込み動作の合間でモニタ画面に表示する表示手段を備える、テレビジョン受信機。
【請求項２】
前記作成手段によって作成される複数画面の映像データはインタレース走査を施された奇数フィールド画面および偶数フィールド画面によって形成され、
前記書き込み手段は奇数フィールド期間および偶数フィールド期間の一方で書き込み動作を行う、請求項１記載のテレビジョン受信機。
【請求項３】
前記映像モニタの垂直解像度は前記作成手段によって作成される各画面の映像データの垂直解像度以下である、請求項１または２記載のテレビジョン受像機。
【請求項４】
前記作成手段は前記書き込み手段によって書き込まれる映像データの解像度を低減する低減手段を含む、請求項３記載のテレビジョン受信機。
【請求項５】
前記高周波テレビジョン信号は振幅変調を施された信号である、請求項１ないし４のいずれかに記載のテレビジョン受信機。
【請求項６】
高周波テレビジョン信号を受信する受信手段、および前記受信手段によって受信された高周波テレビジョン信号に基づいて複数画面の映像データを作成する作成手段を備えるテレビジョン受信機のプロセサに、
前記作成手段によって作成された映像データを画面単位で間欠的にメモリに書き込む書き込みステップ、および
前記メモリに格納された映像データに基づく映像を前記書き込み手段の書き込み動作の合間でモニタ画面に表示する表示ステップを実行させる、表示制御プログラム。
【発明の詳細な説明】
【技術分野】
【０００１】
この発明は、テレビジョン受信機に関し、特にたとえばアンテナによって捉えられた高周波テレビジョン信号に基づく映像をモニタに表示する、テレビジョン受信機に関する。
【背景技術】
【０００２】
従来のこの種の装置の一例が、特許文献１に開示されている。この従来技術は、低電力モードが選択されたときに、ＴＶ映像検波部とＮＴＳＣデコーダとを間欠的に動作させようとするものである。これによって、電池寿命の延長が実現される。
【特許文献１】特開２００５−７２８０３号公報［H04M 1/00, 1/73, H04N 5/445, 5/63］
【発明の開示】
【発明が解決しようとする課題】
【０００３】
しかし、従来技術では、ＬＣＤを駆動するときに発生したノイズがアンテナによって捉えられる高周波信号に多重され、これによって表示映像の品質が劣化するという問題がある。
【０００４】
それゆえに、この発明の主たる目的は、表示映像の品質を向上させることができる、テレビジョン受信機を提供することである。
【課題を解決するための手段】
【０００５】
請求項１の発明に従うテレビジョン受信機(10)は、高周波テレビジョン信号を受信する受信手段(12, 14)、受信手段によって受信された高周波テレビジョン信号に基づいて複数画面の映像データを作成する作成手段(16, 18, 24, 26)、作成手段によって作成された映像データを画面単位で間欠的にメモリに書き込む書き込み手段(S7, 28)、およびメモリに格納された映像データに基づく映像を書き込み手段の書き込み動作の合間でモニタ画面(36)に表示する表示手段(S27, 34)を備える。
【０００６】
高周波テレビジョン信号は、受信手段によって受信される。作成手段は、受信された高周波テレビジョン信号に基づいて複数画面の映像データを作成する。作成された映像データは、書き込み手段によって、画面単位で間欠的にメモリに書き込まれる。表示手段は、メモリに格納された映像データに基づく映像を、書き込み手段の書き込み動作の合間でモニタ画面に表示する。
【０００７】
このように、映像データは画面単位で間欠的にメモリに書き込まれる一方、メモリに格納された映像データは書き込み動作の合間で読み出される。これによって、メモリに書き込まれる映像データの品質つまり表示される映像の品質が表示手段の表示動作に起因して発生した高周波ノイズによって劣化することはない。この結果、表示映像の品質が向上する。
【０００８】
請求項２の発明に従うテレビジョン受信機は、請求項１に従属し、作成手段によって作成される複数画面の映像データはインタレース走査を施された奇数フィールド画面および偶数フィールド画面によって形成され、書き込み手段は奇数フィールド期間および偶数フィールド期間の一方で書き込み動作を行う。この場合、表示手段は、奇数フィールド期間および偶数フィールド期間の他方で表示動作を行う。
【０００９】
請求項３の発明に従うテレビジョン受信機は、請求項１または２に従属し、映像モニタの垂直解像度は作成手段によって作成される各画面の映像データの垂直解像度以下である。これによって、間欠的な書き込み動作に起因する表示映像の更新周期の低下を防止することができる。
【００１０】
請求項４の発明に従うテレビジョン受像機は、請求項３に従属し、作成手段は書き込み手段によって書き込まれる映像データの解像度を低減する低減手段(26)を含む。書き込みに先立って解像度を低減させることで、メモリ容量を抑制することができる。
【００１１】
請求項５の発明に従うテレビジョン受像機は、請求項１ないし４のいずれかに従属し、高周波テレビジョン信号は振幅変調を施された信号である。
【００１２】
請求項６の発明に従う表示制御プログラムは、高周波テレビジョン信号を受信する受信手段(12, 14)、および受信手段によって受信された高周波テレビジョン信号に基づいて複数画面の映像データを作成する作成手段(16, 18, 24, 26)を備えるテレビジョン受信機(10)のプロセサ(20)に、作成手段によって作成された映像データを画面単位で間欠的にメモリに書き込む書き込みステップ(S7)、およびメモリに格納された映像データに基づく映像を書き込み手段の書き込み動作の合間でモニタ画面(36)に表示する表示ステップ(S27)を実行させる、表示制御プログラムである。
【００１３】
請求項１の発明と同様、表示映像の品質を向上させることができる。
【発明の効果】
【００１４】
この発明によれば、映像データは画面単位で間欠的にメモリに書き込まれる一方、メモリに格納された映像データは書き込み動作の合間で読み出される。これによって、メモリに書き込まれる映像データの品質つまり表示される映像の品質が表示手段の表示動作に起因して発生した高周波ノイズによって劣化することはない。この結果、表示映像の品質が向上する。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例の携帯型テレビジョン受像機１０は、アンテナ１２を含む。複数の放送局からそれぞれ送出された複数チャネルの高周波テレビジョン信号は、このアンテナ１２によって捉えられる。チューナ１４は、アンテナ１２によって捉えられた複数チャネルの高周波テレビジョン信号の中から所望のチャネルの高周波テレビジョン信号を抽出する。
【００１７】
放送される高周波テレビジョン信号は、振幅変調を施された信号である。ＶＩＦ／ＳＩＦ回路１６は、かかる高周波テレビジョン信号をチューナ１４から入力し、入力された高周波テレビジョン信号を映像中間周波数信号および音声中間周波数信号に変換する。変換された映像中間周波数信号および音声中間周波数信号はそれぞれ、ＮＴＳＣデコーダ１８および音声処理回路（図示せず）に与えられる。
【００１８】
ＮＴＳＣデコーダ１８は、与えられた映像中間周波数信号をデコードして、ＮＴＳＣ方式のコンポジットビデオ信号を生成する。生成されたコンポジット映像信号は、図２（Ａ）に示すように、インタレース走査された複数フィールドの映像信号と、１フィールドに１つの割合で挿入された複数の垂直同期信号Ｖｓｙｎｃとを含む。各フィールドの映像信号は１／６０秒毎にＡ／Ｄ変換器２４に与えられ、垂直同期信号Ｖｓｙｎｃは１／６０秒毎にＣＰＵ２０に与えられる。
【００１９】
Ａ／Ｄ変換器２４は、与えられた映像信号をディジタル信号である映像データに変換する。ＬＣＤモニタ３６の垂直解像度は、Ａ／Ｄ変換器２４から出力された各フィールドの映像データの垂直解像度に等しいかこれよりも低い。間引き回路２６は、変換された映像データの解像度を低減し、低減された解像度を有する映像データを書き込み制御回路２８に与える。間引き回路２６の処理によって低減された解像度は、ＬＣＤモニタ３６の解像度と一致する。
【００２０】
ＣＰＵ２０は、垂直同期信号Ｖｓｙｎｃに基づいて、２フィールドに１回の割合で書き込み命令を書き込み制御回路２８に与える。書き込み制御回路２８は、書き込み命令を受けた時点のフィールドに属する映像データをバスＢ１を介してバッファメモリ３０に書き込む。これによって、たとえば図２（Ｂ）に示す奇数フィールドの映像データが、バッファメモリ３０に格納される。
【００２１】
ＣＰＵ２０はまた、２フィールドに１回の割合で、読み出し命令および表示命令を読み出し制御回路３２およびＬＣＤドライバ３４にそれぞれ与える。ただし、読み出し命令および表示命令の各々は、書き込み命令の発行タイミングと相補的なタイミングで発行される。つまり、書き込み命令が奇数フィールドおよび偶数フィールドの一方で発行される場合、読み出し命令および表示命令の各々は奇数フィールドおよび偶数フィールドの他方で発行される。
【００２２】
読み出し制御回路３２は、バッファメモリ３０に格納された１フィールドの映像データを、読み出し命令が発行される毎に読み出す。各フィールドの映像データは、図２（Ｃ）に示す要領でバッファメモリ３０から読み出され、バスＢ１および読み出し制御回路３２を介してＬＣＤドライバ３４に与えられる。ＬＣＤドライバ３４は、表示命令を受けたとき、読み出し制御回路３２から与えられた映像データに従って、１フィールド期間にわたってＬＣＤモニタ３６を駆動する。この結果、モニタ画面に表示される画像は、図２（Ｄ）に示す要領で１／３０秒毎に更新される。
【００２３】
ＣＰＵ２０は、図３に示す取り込み制御タスクおよび図４に示す表示制御タスクを含む複数のタスクを並列的に実行する。なお、これらのタスクは、フラッシュメモリ２２に記憶される。
【００２４】
図３を参照して、ステップＳ１では書き込みフラグＦｗをセットする。ステップＳ３では垂直同期信号Ｖｓｙｎｃが発生したか否かを判別し、ステップＳ５では書き込みフラグＦｗがセット状態であるか否かを判別する。書き込みフラグＦｗがセット状態のときに垂直同期信号Ｖｓｙｎｃが発生すると、ステップＳ３およびＳ５の各々でＹＥＳと判別し、ステップＳ７で書き込み命令を書き込み制御回路２８に向けて発行する。
【００２５】
間引き回路２６から与えられた１フィールドの映像データは、書き込み制御回路２８によってバッファメモリ３０に書き込まれる。続くステップＳ９では書き込みフラグＦｗをリセットし、その後ステップＳ３に戻る。
【００２６】
書き込みフラグＦｗがリセット状態のときに垂直同期信号Ｖｓｙｎｃが発生すると、ステップＳ３でＹＥＳと判別する一方、ステップＳ５でＮＯと判断し、ステップＳ１１で書き込みフラグＦｗをセットする。ステップＳ１１の処理が完了すると、ステップＳ３に戻る。
【００２７】
したがって、書き込みフラグＦｗは、２フィールド毎にセットされ、各フィールドの映像データは２フィールドに１回の割合でバッファメモリ３０に書き込まれる。
【００２８】
図４を参照して、ステップＳ２１では垂直同期信号Ｖｓｙｎｃが発生したか否かを判別し、ステップＳ２３では書き込みフラグＦｗがリセット状態であるか否かを判別する。書き込みフラグＦｗがセット状態のときに垂直同期信号Ｖｓｙｎｃが発生すると、ステップＳ２１でＹＥＳと判断する一方、ステップＳ２３でＮＯと判断し、ステップＳ２１に戻る。
【００２９】
書き込みフラグＦｗがリセット状態のときに垂直同期信号Ｖｓｙｎｃが発生すると、ステップＳ２１およびＳ２３の各々でＹＥＳと判断し、ステップＳ２５に進む。ステップＳ２５では読み出し命令を読み出し制御回路３２に向けて発行し、ステップＳ２７では表示命令をＬＣＤドライバ３４に向けて発行する。
【００３０】
バッファメモリ３０に格納された１フィールドの映像データは、読み出し制御回路３２によって読み出される。ＬＣＤドライバ３４は、読み出された映像データに基づいて１フィールド期間にわたってＬＣＤモニタ３６を駆動する。この結果、１フィールドの映像がモニタ画面に表示される。ステップＳ２７の処理が完了すると、ステップＳ２１に戻る。
【００３１】
以上の説明から分かるように、高周波テレビジョン信号は、アンテナ１２およびチューナ１４によって受信される。間引き回路２６は、受信された高周波テレビジョン信号に基づいて複数フィールド（複数画面）の映像データを作成する。作成された映像データは、書き込み制御回路２８によって、フィールド単位で間欠的にバッファメモリ３０に書き込まれる。ＬＣＤドライバ３４は、バッファメモリ３０に格納された映像データに基づく映像を、書き込み制御回路２８の書き込み動作の合間でＬＣＤモニタ３６に表示する。
【００３２】
このように、映像データは画面単位で間欠的にバッファメモリ３０に書き込まれる一方、バッファメモリ３０に格納された映像データは書き込み動作の合間で読み出される。これによって、バッファメモリ３０に書き込まれる映像データの品質つまり表示される映像の品質がＬＣＤドライバ３４の駆動処理に起因して発生した高周波ノイズによって劣化することはない。この結果、表示映像の品質が向上する。
【００３３】
また、ＬＣＤモニタ３６の垂直解像度はＡ／Ｄ変換器２４から出力される各フィールドの映像データの垂直解像度以下である。これによって、間欠的な書き込み動作に起因する表示映像の更新周期の低下を防止することができる。さらに、間引き回路２６は、書き込み制御回路２６の前段に設けられる。これによって、バッファメモリ３０の容量を抑えることができる。
【００３４】
なお、この実施例では、バッファメモリ３０への書き込み動作およびＬＣＤモニタ３６の表示動作を１／３０秒毎に実行するようにしているが、これらの動作周期は、１／３０秒のＮ分の１（Ｎ：２以上の整数）であってもよい。
【図面の簡単な説明】
【００３５】
【図１】この発明の一実施例の構成を示すブロック図である。
【図２】（Ａ）は映像受信動作の一部を示すタイミング図であり、（Ｂ）はメモリへの映像書き込み動作の一部を示すタイミング図であり、（Ｃ）はメモリからの映像読み出し動作の一部を示すタイミング図であり、（Ｄ）はＬＣＤモニタへの映像表示動作の一部を示すタイミング図である。
【図３】ＣＰＵの動作の一部を示すフロー図である。
【図４】ＣＰＵの動作の他の一部を示すフロー図である。
【符号の説明】
【００３６】
１０  …テレビジョン受像機
１４  …チューナ
１８  …ＮＴＳＣデコーダ
２８  …書き込み制御回路
３０  …バッファメモリ
３２  …読み出し制御回路
３４  …ＬＣＤドライバ
【図１】
2007006303.tif 000003
【図２】
2007006303.tif 000004
【図３】
2007006303.tif 000005
【図４】
2007006303.tif 000006